(57)【要約】 【課題】例えば指１本で、少なくとも施錠状態にすることができること。  【解決手段】収納部分４を有する取り付け基体３と、解錠状態の時には収納部分に位置するように第１支軸５を介して軸支され、かつ、付勢手段６により常時ロック方向に付勢されロック板７と、同じく解錠状態の時にはロック板を押さえ付けた状態で収納部分に位置するように第２支軸８を介して軸支された係合板２とから成り、施錠状態にする場合には、係合板を指先で所定位置まで回転変位させると、ロック板が付勢手段のバネ力により収納部分の外方向へと所定位置まで回転してその自由端部７ａで係合板の動き規制するロック具。【選択図】  図４
2008127819.tif 000002
【特許請求の範囲】
【請求項１】
収納部分４を有する取り付け基体３と、解錠状態の時には収納部分に位置するように第１支軸５を介して軸支され、かつ、付勢手段６により常時ロック方向に付勢されロック板７と、同じく解錠状態の時にはロック板を押さえ付けた状態で前記収納部分に位置するように第２支軸８を介して軸支された係合板２とから成り、施錠状態にする場合には、前記係合板を指先で所定位置まで回転変位させると、前記ロック板が前記付勢手段のバネ力により収納部分の外方向へと所定位置まで回転してその自由端部７ａで係合板の動き規制することを特徴とするロック具。
【請求項２】
請求項１に於いて、第２支軸８には、係合板を常時収納部分の方向に付勢する戻しバネ９が巻装されていることを特徴とするロック具。
【請求項３】
請求項１に於いて、第２支軸８は、第１支軸に対して所定間隔を有して併設されていると共に、解錠状態の時、ロック板に対向する係合板の外面には、指先を差し込むことが可能な切欠部分２０が形成されていることを特徴とするロック具。
【請求項４】
請求項１に於いて、収納部分４は、縦長開口又は縦長切欠のいずれかであることを特徴とするロック具。
【請求項５】
開閉体に凹所５１を有する受け具５０を取り付け、一方、開閉体用戸枠に請求項１に記載のロック具１を取り付けたことを特徴とする開閉体錠。
【請求項６】
請求項５に於いて、開閉体の閉鎖時、受け具の凹所５１とロック具の係合板２が対向し、施錠状態にする場合には、係合板を指先で収納部分４から食み出るように凹所内へと回転変位させると、係合板の突出外端部２ａが凹所５１内に入り込むことを特徴とする開閉体錠。
【請求項７】
請求項５に於いて、受け具５０の凹所内に該凹所５１を複数に区分けする仕切り片５２を設け、開閉体の閉鎖時、ロック具１の係合板２と対向する第１凹所５１ａは、係合板２を受止める係止用として使用され、一方、他方の露呈する第２凹所５１ｂは引手用として使用されることを特徴とする開閉体錠。
【請求項８】
請求項５に於いて、開閉体は引戸であることが可能であることを特徴とする開閉体錠。
【発明の詳細な説明】
【技術分野】
【０００１】
本発明は、例えば建具や家具用としてのロック具と、これを利用した開閉体錠に関する。
【背景技術】
【０００２】
特許文献１や特許文献２に記載されているように、普通一般の引戸錠は、（ａ）開閉体である引戸の戸先、或いは下框、或いはまた上框に錠箱内装の鎌片、デッドボルト等の係合片を設け、一方、前記係合片が係脱する凹所を有する受け具は、固定部材である戸枠の縦枠や下枠或いは上枠に設けている。
【０００３】
また、普通一般の引戸錠は、（ｂ）開閉体に設けられたシリンダ錠の鍵穴に合鍵を差込み、該合鍵を操作することによって、またはサムターンを操作することによって、係合片が固定部材の受け具に対して出没する。さらに、普通一般の引戸錠は、（ｃ）閉戸時には引戸が戸枠の縦枠に衝突する。
【０００４】
ところで、現在、合鍵を回転操作しないで、望ましくは１本の指で簡単に操作して施錠状態又は解錠状態にできる（いわゆる操作性が良い）ロック具の出現が要望されている。また、普通一般の引戸以外の開閉体に対象を広げるために、普通一般の引戸錠の有する（ａ）ないし（ｃ）の特質に拘泥しない新規な開閉体錠の出現も要望されている。
【特許文献１】特許公開２００５−１２０６０６号公報
【特許文献２】特許公開平１０−１０２８５５号公報
【発明の開示】
【発明が解決しようとする課題】
【０００５】
本発明の第１の目的は、ロック具の操作性の向上を図り、例えば指１本で、少なくとも施錠状態にすることができること。第２の目的は、動産又は不動産の開口枠に取り付けることにより、家具や建具用のロック具として使用することができること。第３の目的は、従来の開閉体錠とは違う、いわば逆転の発想により、固定部材としての戸枠にロック具を取り付けると共に、該ロック具の方に鎌片的な機能を持たせ、一方、可動体としての開閉体の方に受け具を取り付けることにより、上げ下げ型シャッターや吊り下げ型ランナー方式の開閉体錠として利用することができることである。その他の目的は、従属項の構成要件によって特定され得る。
【課題を解決するための手段】
【０００６】
本発明のロック具は、収納部分４を有する取り付け基体３と、解錠状態の時には前記収納部分に位置するように第１支軸５を介して軸支され、かつ、付勢手段６により常時ロック方向に付勢されロック板７と、同じく解錠状態の時にはロック板を押さえ付けた状態で前記収納部分に位置するように第２支軸８を介して軸支された係合板２とから成り、施錠状態にする場合には、前記係合板を指先で所定位置まで回転変位させると、前記ロック板が前記付勢手段のバネ力により収納部分の外方向へと所定位置まで回転してその自由端部７ａで前記係合板の動き規制することを特徴とする。
【０００７】
また、本発明の開閉体錠は、開閉体３２に凹所５１を有する受け具５０を取り付け、一方、開閉体用戸枠３１に請求項１に記載のロック具１を取り付けたことを特徴とする。ここで、「開閉体」とは、引手を介して左右又は上下に移動する戸をいい、シャッターも含まれる。
【発明の効果】
【０００８】
（１）ロック具の操作性の向上を図ることができる。例えば指１本でワンタッチ操作が可能である。
（２）動産又は不動産の開口枠に取り付けることにより、家具や建具用のロック具として使用することができる。
（３）上げ下げ型シャッター方式や吊り下げ型ランナー方式の開閉体錠として利用することができる。この場合、受け具は幅広の係合凹所を有することから、チリ寸法に対応して、ロック具の係合片を係合凹所に入れることができる。
【発明を実施するための最良の形態】
【０００９】
以下、図１乃至図１７は、本発明の建具や家具用のロック具と、これを利用した開閉体錠に関する最良の形態である。
【００１０】
（１）ロック具と受け具
図１はロック具１と受け具５０をそれぞれ示す斜視図である。図１（ａ）は、縦長状の形態をした施錠状態におけるロック具１であり、このロック具１は、例えば扉、開閉体等の建具用に用いられる場合には、戸枠の縦枠の外面に形成された縦長切欠に嵌め込まれる。一方、図１（ｂ）は、ロック具１とセットで用いられる金属製の受け具５０で、この受け具５０の少なくとも一側面には、前記ロック具１の係合板と係合する凹所が形成されている。受け具５０は、例えば開閉体の戸先に形成された縦長切欠に嵌め込まれる。後述する図１３乃至図１７で示すように、ロック具１と受け具５０の組み合わせは、例えば開閉体錠Ｘを構成する。以下、本発明の構成要件について順次説明する。
【００１１】
（２）受け具５０
まず、説明の便宜上、図１乃至図３を参照にして、受け具５０から説明する。図１（ｂ）で示すように、受け具５０は、金属製の板をプレスで折り曲げ形成して、例えば外観上、長箱状に形成する。この受け具５０の新規事項を指摘すれば次のとおりである。まず、ロック具１と組み合わせて用いられること。付言すると、開閉体の戸先に凹所５１を有する受け具５０を取り付け、一方、戸枠の縦枠にロック具１を取り付けて、「開閉体錠Ｘ」として使用することができること。
【００１２】
次に、開閉体の閉鎖時、受け具５０の凹所５１とロック具１の係合板２が対向し、施錠状態にする場合には、前記係合板２を指先で収納部分から食み出るように前記凹所５１内へと回転変位させると、前記係合板２の少なくとも突出外端部２ａが前記凹所５１内に入り込むこと。
【００１３】
次に、受け具５０の凹所５１内に該凹所５１を複数（例えば二分）に区分けする仕切り片５２を設け、開閉体の閉鎖時、ロック具１の係合板２と対向する第１凹所５１ａは、係合板２を受止める係止用として使用され、一方、他方の露呈する第２凹所５１ｂは引手用として使用されること。そして、前記仕切り片５２は、図２で示すように、縦方向の柱状或いは棒状体であり、開閉体の閉鎖時、該棒状体を押し込むことが可能である。本実施例では、仕切り片５２は、上下端部に螺合部（例えばメネジ）５２ａを有しており、受け具５０の上下の壁５０ａに形成した貫通小孔５３及び複数個の固着具５４を介してケース形受け具５０の凹所５１内を二分するように螺着される。符号５５は、第１凹所５１ａを形成する内壁面で、この内壁面５５は係合板２のフラット形状、鉤形状等の突出先端部２ａを受止める係止用として使用される。一方、符号５６は前記内壁面５５と対向する第２凹所５１ｂの内壁面で、この内壁面５６は開閉体を開ける際の引手用として利用される。その他の細部的事項は割愛する。
【００１４】
（３）ロック具１の基本的構成
まず、図４乃至図８を参照にしてロック具１の基本的構成を説明する。ロック具１は、図５で示す収納部分４を有する取り付け基体３と、解錠状態の時には前記収納部分４に位置するように上下一対の第１支軸５、５を介して軸支され、かつ、付勢手段６により常時ロック方向（図５の矢印Ａ方向）に付勢され長板状のロック板７と、同じく解錠状態の時には前記収納部分４に位置するように上下一対の第２支軸８、８を介して軸支された係合板２とから成り、施錠状態にする場合には、前記係合板２の板状部分１２に指先Ｆをあてがいながら所定位置（図５で示す位置）まで回転変位させる（図５の矢印Ｂ方向へ引き起こす）と、前記ロック板７が前記付勢手段６のバネ力により収納部分４の外方向へと所定位置（図５で示す位置）まで回転して、その自由端部７ａが係合板２の内端部２ｂの端面に面接触状態に当たり、以後、係合板２の戻り方向の動き規制する（施錠状態）。
【００１５】
そして、本実施例では、図６及び図７で示すように、前記上下一対の第２支軸８、８には、係合板２を常時収納部分４の方向に付勢する上下一対の戻しバネ９、９がそれぞれ巻装されている。
【００１６】
（４）ロック具１の具体的構成
次に、ロック具１の細部的構成を説明する。なお、一部の符号は省略している。ロック具１の基本的構成に於いて、上下一対の係合板２用の第２支軸８、８は、上下一対のロック板７用の第１支軸５、５に対して所定間隔を有して併設（平行に配設）されている。設計如何によっては、第１支軸５及び第２支軸８はそれぞれ１本であっても良いが、本実施例では、それぞれのバネの取り付け位置、組立の容易性等を考慮して、上方の軸と下方の軸とを互いに同軸上に分離している。
【００１７】
ここで付勢手段６と戻しバネ９の位置を説明する。図６は、図４を基準にした背面図であり、ロック板７用の付勢手段６が見えるように取付け基板３の長板状背板部３ａの中央部分を切欠している。
【００１８】
付勢手段６は、図６で示すように、ロック板７の基端部の裏側中央部に該基端部に沿って一体的に設けられた支持棒１１に上下端部がそれぞれ巻装されていると共に、その突出する枠状中央部６ａはロック板７の裏面に圧接している。そして、付勢手段６の上下端部６ｂ、６ｂは、細長板状の正面板３ｂの裏面に圧接している。前記付勢手段６用支持棒１１と第１支軸５、５は、互いに分離しているが、支持棒１１と第１支軸５、５をまとめて一つの支軸にしても良い点は前述したとおりである。
【００１９】
また、図５及び図７では、係合板２用の戻しバネ９が見える。本実施例では、ロック板７に係止され得る係合板２は、その中央部分が切欠２０された板状部１２となっており、この板状部１２に連続する上下端部は、扇台形状の係合端部１３、１３となっている。これらの係合端部１３、１３の弧状外周面は、解錠状態のとき、収納部分に収納されたロック板７の外面を押え付ける。
【００２０】
図５で示すように係合端部１３の内端部は開口し、その要の箇所に形成した縦切欠凹所に位置する第２支軸８に戻しバネ９の中央部が巻装されている。戻しバネ９の一端部は長板状背板部３ａの端部寄りの部位に形成したバネ端支持部１４に圧接し、一方、他端部は係合端部１３に形成したバネ端収納部１５の内壁面に圧接している。戻しバネ９は、係合板２を常時収納部分４に戻す方向（図５の矢印Ｂの反対方向）に付勢している。なお、図７で示すように係合板２の板状部１２の中央部には、係合板２を収納部分４から引き出すための目印１６が付されている。
【００２１】
また、ロック板７の中央部の外面が多少凹所状に形成され、例えばＰＵＳＨの目印１７が付されている。その他、取り付け基板３の角型ブロック形状の上下端部には、複数個の取り付け孔が形成されている。
【００２２】
また、取り付け基板３の上下端部の正面側の外壁には、収納部分４に多少突出する係合板２用の小突起状ストッパ１８が設けられている。取り付け基板３の上下端部に連続する細長板状正面板３ｂの内端部の中央部寄りの部位には、収納部分４側に突出した状態で第１支軸用の軸受け１９が形成されている。ロック板７や係合板２にも適宜軸受けが形成されている。係合板２の軸受け部分には、ジュランコンワッシャを一体的に設けているなどである。
【００２３】
なお、係合板２の中央部分が切欠部分２０は、本実施例では、ロック具１が解錠状態の時、ロック板７の外面中央部と係合板２の板状部１２との間に指先Ｆを差し込むことが可能となるように形成されている。また、取り付け基板３の収納部分４は、縦長開口（実施例）又は縦長切欠のいずれであっても良い。
【００２４】
（５）ロック具を解錠状態にする場合
まず、図９及び図１０を参照にして、ロック具１を解錠状態にする場合について説明する。本発明のロック具１の一つの目的は、指１本で、施錠状態又は／及び解錠状態にすることができることである。
【００２５】
そこで、施錠状態から解錠状態にするときは、図９（ａ）、（ｂ）で示すように、ロック板７の目印１７の部分に指先Ｆをあてがい、そのまま押し込む。本実施例では、戻しバネ９のバネ力が付勢手段６のそれよりも強く設定されていることから、ロック板７の目印１７の部分を指先Ｆで収納部分４側に押圧すると、係合板２は第２支軸８を中心にすばやく初期位置へと回転する（収納されていた位置へと戻る）。
【００２６】
その結果、図１０の（ａ）、（ｂ）で示すように、係合板２の扇台形状の両端部１３は完全に収納部分４内に入り込み、係合板２の上下の係合端部１３、１３の弧状外周面は、解錠状態のとき、収納部分に収納されたロック板７の外面を押え付ける。また、係合板２の突出先端部２ａの係合端面は、取付け基板３の長板状背板部３ａの側端面と面一状態と成る。この時、係合板２の目印１６は、図１０の（ａ）で示すように手前（正面）に見える。
【００２７】
（６）ロック具を施錠状態にする場合
次に、図１１及び図１２を参照にして、ロック具１を施錠状態にする場合について説明する。本発明のロック具１の所期の目的は、指１本で、施錠状態にすることができることである。
【００２８】
そこで、解錠状態から施錠状態にするときは、図１１（ａ）、（ｂ）で示すように、係合板２の目印１６の部分を目安にして、切欠部分２０に指先（例えば人差し指）Ｆを差し込むようにする。そして、指先Ｆで板状部１２を押圧すると、係合板２は図１２（ａ）で示すように、戻しバネ９のバネ力に抗して収納部分の外方向へと第２支軸８を中心に回転する。
【００２９】
図１２（ｂ）は、係合板２が指先Ｆに押圧されて所定位置まで回転変位した状態を示す。この時、ロック板７がその付勢手段６のバネ力により収納部分４の外方向へと所定位置（ストッパ１８に係止される位置）まで回転して、その自由端部７ａが係合板２の内端部２ｂに当接する（図５参照）。
【００３０】
付言すると、施錠状態のとき、両方のバネ部材６、９は、それぞれ戻る方向へ作用するので、ロック板７は収納部分の外方向へ付勢された状態で取付け基板３の上下のストッパ１８に係止され、一方、係合板２は戻しバネ９のバネ力により、その内端部２ｂがロック板７の自由端部７ａに圧接する。したがって、両板２、７は、いわゆる噛み合った状態となる。この時、ロック７の目印１７は、図４で示すように手前（正面）に見える。
【００３１】
（７）開閉体錠が引戸錠である場合の一例
本発明の開閉体錠の目的は、前述したように、戸枠の縦枠や下枠にロック具１取り付けると共に、該ロック具１方に鎌片的な機能を持たせ、一方、開口枠の開閉する開閉体の方に受け具５０を取り付けることにより、上げ下げ型シャッター方式や吊り下げ型ランナー方式の開閉体錠として利用することができることである。
【００３２】
そこで、図１３乃至図１７を参照にして、開閉体錠が引戸錠である場合の一例を説明する。これらの図に於いて、３１は戸枠、３２は吊り下げ型ランナー方式の開閉体（引戸の一種）、１は戸枠３１の端面或いは縦枠３１ａの形成した切欠部分３３に嵌め込まれたロック具、５０は戸先が戸枠３１の外壁面（図面上、向こう側の壁面）に対向状態となる（例えば戸先が戸枠３１にぶつからない）開閉体３２の切欠部分３４に嵌め込まれた受け具５０である。受け具５０の凹所５１は、戸枠３１の内壁面（図面上、手前側）の方に見える。
【００３３】
したがって、本発明の開閉体錠Ｘは、開閉体３２に凹所５１を有する受け具５０を取り付け、一方、戸枠３１にロック具１を取り付けたことにより、錠前としての機能を発揮する。
【００３４】
図１３は、開閉体３２の閉鎖時、受け具の凹所５１とロック具１の係合板２が対向し、かつ、施錠状態となった場合を示す。また、図１４はロック具１が解錠状態に於いて、開閉体３２を閉めようとしている中途状態を示す。また、図１５は開閉体３２を閉め、その戸先が施錠状態にする場合には、前述したように戸枠３１の縦枠３１ａの内壁面に対向するように位置した状態である。開閉体３２の閉鎖時、受け具５０の第１凹所５１ａをロック具１の係合板２に対向させる必要がある。もし、開閉体３２が所望の位置に停止していないときは、受け具５０の仕切り片５２を手で押し込むようにする。図１５で示すように受け具５０の第１凹所５１ａとロック具１の係合板２が対向した場合には、指先Ｆで係合板２を回転させる。図１６は、解錠状態から施錠状態へと移行する中途状態を示す。図１７は施錠状態を示す。施錠状態のときは、係合板２の突出外端部２ａが受け具５０の第１凹所５１ａ内に入り込む。したがって、開閉体３２を受け具５０の露呈する第２凹所５１ｂを利用して自由に開くことができない。
【実施例】
【００３５】
発明の実施の形態で示した実施例に於いて、受け具の凹所５１は、少なくとも一側面に設けられているが、他側面（向こう側）にも設けても良い。また、特に図示しないが、係合板２やロック板７の形状は任意に設計変更することができる。例えば係合板２の板状部１２を凹所状に形成する、ロック板７の目印１７がある中央部を隆起状や傾斜状に形成する等である。さらに、係合板２の突出先端部２ａの形状も任意に設計変更することができる（例えば鎌状）。
【産業上の利用可能性】
【００３６】
本発明は、主に錠前や建具の業界で利用される。
【図面の簡単な説明】
【００３７】
図１乃至図１７は本発明の最良の実施例を示す各説明図。
【図１】図１の（ａ）、（ｂ）は、ロック具と受け具をそれぞれ示す斜視図。
【図２】受け具の分解斜視図。
【図３】図２の３―３線拡大断面説明図。
【図４】ロック具の施錠状態における一部切欠の正面からの説明図。
【図５】図４の５−５線に基づく説明図。
【図６】ロック具の施錠状態における一部切欠の背面からの説明図。
【図７】ロック具の施錠状態における一部切欠の右側面からの説明図。
【図８】ロック具の解錠状態における斜視図。
【図９】図９の（ａ）、（ｂ）は、施錠状態から解錠状態にするときの指先Ｆの位置を示す説明図。
【図１０】図１０の（ａ）、（ｂ）は、ロック具の解錠状態の説明図。
【図１１】図１１の（ａ）、（ｂ）は、解錠状態から施錠状態にするときの指先Ｆの位置を示す説明図。
【図１２】図１２の（ａ）、（ｂ）は、図１１に於いて、途中ないし施錠状態の説明図。
【図１３】開閉体の閉鎖時、受け具の凹所とロック具の係合板が対向し、かつ、施錠状態となった場合を示す説明図。
【図１４】ロック具が解錠状態に於いて、開閉体を閉めようとしている中途状態を示す説明図。
【図１５】開閉体３２を閉め状態を示す説明図。
【図１６】解錠状態から施錠状態へと移行する中途状態を示す説明図。
【図１７】施錠状態を示す説明図。
【符号の説明】
【００３８】
Ｘ…開閉体錠、Ｆ…指先、１…ロック具、２…係合板、２ａ…係合板の突出外端部、２ｂ…係合板の内端部、３…取り付け基体、３ａ…長板状背板部、３ｂ…正面板、４…収納部分、５…第１支軸、６…付勢手段、７…ロック板、７ａ…自由端部、８…第２支軸、９…戻しバネ、１１…支持棒、１２…係合板の板状部分、１３…係合端部、１４…バネ端支持部、１５…バネ端収納部、１６…係合板の目印、１７…ロック板の目印、１８…小突起状ストッパ、１９…軸受け、２０…切欠部分、３１…戸枠、３１ａ…縦枠、３２…開閉体、５０…受け具、５１…凹所、５１ａ…第１凹所、５１ｂ…第２凹所、５２…仕切り片、５５…第１凹所の内壁面、５６…第２凹所の内壁面。
【図１】
2008127819.tif 000003
【図２】
2008127819.tif 000004
【図３】
2008127819.tif 000005
【図４】
2008127819.tif 000006
【図５】
2008127819.tif 000007
【図６】
2008127819.tif 000008
【図７】
2008127819.tif 000009
【図８】
2008127819.tif 000010
【図９】
2008127819.tif 000011
【図１０】
2008127819.tif 000012
【図１１】
2008127819.tif 000013
【図１２】
2008127819.tif 000014
【図１３】
2008127819.tif 000015
【図１４】
2008127819.tif 000016
【図１５】
2008127819.tif 000017
【図１６】
2008127819.tif 000018
【図１７】
2008127819.tif 000019